(57)【要約】      （修正有）【課題】ユーザが自身で刃部を交換することができる折り畳み式ナイフを提供する。【解決手段】刃部１０の基端部１３が枢軸部３０によって柄部２０に組み付けられており、中心軸Ｐ０周りの刃部の回動により刃部が柄部の内部に収容されるナイフ１の構成を、柄部がバネアーム２２０を備えるスリップジョイント式とし、枢軸部を着脱可能とすると共に、バネアームを一対の柄部半体２１０に留め付ける留めピンとして、一対の柄部半体の一方２１２及びバネアームを他方の柄部半体２１１に対して回動可能に留め付けている一つの第一留めピン４１と、柄部の孔部４２ｔ、４２ｈに着脱可能に挿通される第二留めピンとを備える構成とする。【選択図】図５
0003222231.tif 000002
【実用新案登録請求の範囲】
【請求項１】
刃部の基端部が枢軸部によって柄部に組み付けられており、前記枢軸部の軸心周りに前記刃部が一方向へ回動することにより前記刃部が前記柄部の内部に収容されている閉姿勢をとると共に、前記軸心周りの反対方向に前記刃部が回動することにより開姿勢をとる折り畳み式ナイフであって、
前記柄部は、一対の柄部半体と、一対の該柄部半体の間に挟み込まれているバネアームとを備え、
該バネアームは、前端側で前記基端部と当接し、後端側が複数の留めピンによって一対の前記柄部半体に留め付けられており、前記刃部の前記軸心周りの回動角度によって前記刃部を前記閉姿勢または前記開姿勢に付勢するものであり、
前記枢軸部が前記刃部及び前記柄部に対して着脱されると共に、
複数の前記留めピンとして、一対の前記柄部半体の一方及び前記バネアームを他方の前記柄部半体に対して回動可能に留め付けている一つの第一留めピンと、前記刃部及び前記柄部に対して着脱される一以上の第二留めピンとを備える
ことを特徴とする折り畳み式ナイフ。
【請求項２】
前記第一留めピンは、前記刃部及び前記柄部から取り外せないものである
ことを特徴とする請求項１に記載の折り畳み式ナイフ。
【請求項３】
前記バネアームは、後端の近傍に貫設されたバネ後端孔部を備えており、
一対の前記柄部半体は、前記バネアームを間に挟み込んで重ね合わされている状態で、前記バネ後端孔部と連通する位置に貫設された柄部後端孔部を備えている
ことを特徴とする請求項１または請求項２に記載の折り畳み式ナイフ。
【考案の詳細な説明】
【技術分野】
【０００１】
本考案は、折り畳み式ナイフに関するものである。
【背景技術】
【０００２】
折り畳み式ナイフは、柄部に対して刃部を回転させることにより、柄部の内部に刃部が収容されるナイフである。折り畳み式ナイフは、折り畳まれないナイフに比べて構造が複雑であることから、刃部を取り替えるための構造までは備えていないのが一般的である。
【０００３】
しかしながら、近年では、資源を有効に活用することを重要視する社会的な要請や、ナイフを製作する職人が減少している実情から、刃部のみをユーザ自身で交換して他の部分は長く継続して使用できる折り畳み式ナイフが求められている。
【０００４】
例えば、電工ナイフと称される電気工事で多用される折り畳み式ナイフは、太い電線や金属ワイヤを切断したり、刃部による切断力を補助するために切断する対象物に刃部を当てた状態で刃部をハンマーで叩いたりするため、刃こぼれが生じるなど刃部の損傷が激しい。一方、そのような力まかせの使用に耐えうるように、柄部など他の部分は機械的強度が高められた頑丈なつくりとなっている。そのため、刃部が損傷したときに柄部を含む全体を廃棄するのでは、資源の無駄が大きいという問題があった。
【考案の概要】
【考案が解決しようとする課題】
【０００５】
そこで、本考案は、上記の実情を鑑み、ユーザが自身で刃部を交換することができる折り畳み式ナイフの提供を、課題とする。
【課題を解決するための手段】
【０００６】
上記課題を解決するため、本考案にかかる折り畳み式ナイフは、
「刃部の基端部が枢軸部によって柄部に組み付けられており、前記枢軸部の軸心周りに前記刃部が一方向へ回動することにより前記刃部が前記柄部の内部に収容されている閉姿勢をとると共に、前記軸心周りの反対方向に前記刃部が回動することにより開姿勢をとる折り畳み式ナイフであって、
前記柄部は、一対の柄部半体と、一対の該柄部半体の間に挟み込まれているバネアームとを備え、
該バネアームは、前端側で前記基端部と当接し、後端側が複数の留めピンによって一対の前記柄部半体に留め付けられており、前記刃部の前記軸心周りの回動角度によって前記刃部を前記閉姿勢または前記開姿勢に付勢するものであり、
前記枢軸部が前記刃部及び前記柄部に対して着脱されると共に、
複数の前記留めピンとして、一対の前記柄部半体の一方及び前記バネアームを他方の前記柄部半体に対して回動可能に留め付けている一つの第一留めピンと、前記刃部及び前記柄部に対して着脱される一以上の第二留めピンとを備える」ものである。
【０００７】
従来の折り畳み式ナイフでは、刃部と柄部とを回動可能に組み付けている枢軸部は、かしめられている等により、刃部及び柄部から取り外せないものであった。これに対し、本構成では、枢軸部を刃部及び柄部に対して着脱可能なものとしている。また、本構成の折り畳み式ナイフは、刃部を閉姿勢または開姿勢に付勢するバネアームを有する、いわゆる“スリップジョイント式”である。スリップジョイント式の折り畳み式ナイフは、バックロック式やライナーロック式の折り畳み式ナイフとは異なり、複雑な機械的ロック機構を有していないため、枢軸部を着脱式とすることにより、刃部を柄部から取り外して別の刃部と交換することができるのではないかと、本考案者は想到した。しかしながら、スリップジョイント式の折り畳み式ナイフの場合、刃部を取り外すことに関して次のような問題がある。
【０００８】
すなわち、バネアームは、開姿勢または閉姿勢に刃部を付勢するものであるため、いったん刃部を枢軸部から取り外してしまうと、バネアームの付勢に対して刃部からにバネアームに作用していた抗力がなくなり、バネアームが枢軸部側に最大限移動してしまう。そのため、バネアームの付勢に抗して、元々刃部からの抗力を受けていたときの位置までバネアームを戻さないと、新たな刃部の基端部とバネアームが干渉してしまい、新たな刃部に枢軸部を通すことができない。しかしながら、バネアームの付勢に抗してバネアームを移動させることは、一般のユーザにとっては困難となるおそれがある。特に、電工ナイフなどバネアームのバネ作用が大きなナイフの場合は、そのおそれが高い。これに対し本構成では、バネアームを後端側で柄部半体に留め付けている複数の留めピンのうち、一つの第一留めピンを、柄部半体の一方及びバネアームを他方の柄部半体に対して回動可能に留め付けているものとすると共に、他の留めピンである第二留めピンを着脱式としている。
【０００９】
留めピンがこのような構成であることにより、第二留めピンを取り外し、一方の柄部半体及びバネアームと、他方の柄部半体とを、一つの第一留めピンのみで組み付けた状態で相対的に回動させることができる。一つの第一留めピンのみで柄部半体に留め付けられたバネアームは、第二留めピンと共に柄部半体に留め付けられている場合と比べてたわませ易い。そのため、一般のユーザであっても、古い刃部を取り外した後、バネアームの付勢に抗して新たな刃部に枢軸部を通すことができる。
【００１０】
本考案にかかる折り畳み式ナイフは、上記構成に加え、
「前記第一留めピンは、前記刃部及び前記柄部から取り外せないものである」ものとすることができる。
【００１１】
第一留めピンは、刃部の交換を行う際は柄部に留め付けておくものであるため、取り外せない構成とすることにより、刃部の交換に際して取り外すべき第二留めピンと区別しやすく、刃部の交換作業がユーザにとって分かり易いものとなる。ここで、取り外せない構成としては、ナイフの製造者は使用するが一般のユーザは使用しない特殊な工具とのみ係合する工具係合部が第一留めピンに設けられている構成、第一留めピンの両端がかしめられている構成を、挙げることができる。
【００１２】
本考案にかかる折り畳み式ナイフは、上記構成に加え、
「前記バネアームは、後端の近傍に貫設されたバネ後端孔部を備えており、
一対の前記柄部半体は、前記バネアームを間に挟み込んで重ね合わされている状態で、前記バネ後端孔部と連通する位置に貫設された柄部後端孔部を備えている」ものとすることができる。
【００１３】
本構成では、バネアームの後端近傍にバネ後端孔部を備えていると共に、一対の柄部半体のそれぞれも柄部後端孔部を備えており、バネアームを間に挟み込んだ状態で一対の柄部半体を重ね合わせたときに、バネ後端孔部と一対の柄部後端孔部は連通する。従って、刃部の交換の際、新たな刃部に枢軸部を通した後で第二留めピンを留め付ける際、バネアームのバネ作用が強力であっても、バネ後端孔部と一対の柄部後端孔部に一本の調整棒を挿入することにより、バネアームにおいて第二留めピンを留め付けるべき位置と、一対の柄部半体それぞれにおいて第二留めピンを留め付けるべき位置とを一致させ易い。
【考案の効果】
【００１４】
以上のように、本考案によれば、ユーザが自身で刃部を交換することができる折り畳み式ナイフを、提供することができる。
【図面の簡単な説明】
【００１５】
【図１】（ａ）本考案の一実施形態であるナイフの正面図、及び（ｂ）図１（ａ）のナイフの底面図である。
【図２】図１（ａ）の状態のナイフから一方の柄部半体を省略した正面図である。
【図３】図１（ａ）のナイフの刃部を回動させる途中の状態を、一方の柄部半体を省略して示す正面図である。
【図４】刃部の交換作業において、図１（ａ）のナイフから刃部を取り外した段階の正面図である。
【図５】図４に引き続く刃部の交換作業において、新たな刃部をナイフに取り付けた段階の正面図である。
【図６】枢軸部を省略したＡ−Ａ線断面図である。
【考案を実施するための形態】
【００１６】
以下、本考案の具体的な実施形態である折り畳み式ナイフ１（以下「ナイフ１」と称する）について、図面を用いて説明する。ナイフ１は、刃部１０の基端部１３が枢軸部３０によって柄部２０に組み付けられており、刃部１０が枢軸部３０の軸心周りに回動することにより、柄部２０の内部に刃部１０を収容できるナイフ１である。ここでは、刃部１０が柄部２０の内部に収容されている姿勢（刃部１０が折り畳まれている姿勢）を「閉姿勢」と称し、刃部１０が閉姿勢とは反対側に最大限回動した状態を「開姿勢」と称している。また、枢軸部３０の軸心を中心軸Ｐ０と称する。
【００１７】
より具体的に説明すると、刃部１０は切断刃１１が片側の辺のみに形成され、反対側の辺は切断刃がなく峰１２となっている片刃の刃体である。基端部１３は、刃部１０における刃元の部分であり、円弧状の輪郭を有している。基端部１３には、枢軸部３０を挿通するための刃部ピボット孔１０ｐが貫設されている。
【００１８】
基端部１３は、円弧状の輪郭における峰１２側の端部に第一角部Ｅ１を有しており、第一角部Ｅ１からは刃先方向に向かって峰１２にほぼ平行に側面部１３ｂが連設され、更に略直角をなす端面部１３ｃが連設されて、峰１２に至っている。一方、基端部１３の円弧状の輪郭において、切断刃１１側の端部には第二角部Ｅ２を有しており、第二角部Ｅ２からは刃先の方向に向かうと共に、内方に向かって（枢軸部３０の方向に向かって）湾曲している第二側面部１３ｄが連設されて、切断刃１１に至っている。
【００１９】
なお、刃部１０の刃先側において峰１２の近傍には、細い半月形の操作用窪み１７が凹設されており、刃部１０を開閉させる操作の際に、ユーザの指先（爪）を引き掛けることができる。
【００２０】
柄部２０は、一対の柄部半体２１０とバネアーム２２０とを有している。一対の柄部半体２１０のそれぞれは、平板状の柄部ベース２１１と、柄部ベース２１１とほぼ同一の外形の表面材２１２とからなり、表面材２１２は柄部ベース２１１を被覆している。柄部ベース２１１と表面材２１２それぞれの一端には、重ね合わせた状態で連通する位置に、枢軸部３０を挿通するための孔部が貫設されている。枢軸部３０を挿通するためのこれらの孔部のうち、柄部ベース２１１に貫設された孔部をベースピボット孔２１１ｐと称し、表面材２１２に貫設された孔部を表面材ピボット孔２１２ｐと称し、合わせて柄部ピボット孔２０ｐと総称する。ここで、柄部２０において柄部ピボット孔２０ｐが形成されている側の端部を「前端部」と称し、柄部２０において前端部とは反対側の端部を「後端部」と称している。
【００２１】
柄部ベース２１１には、その片面においてベースピボット孔２１１ｐの全周囲に環状の凹部２１１ａが形成されている。一方、表面材２１２には、その片面において表面材ピボット孔２１２ｐの全周囲に環状の凸部２１２ｂが形成されている。凸部２１２ｂ及び凹部２１１ａそれぞれの幅及び高さ（深さ）は、ちょうど凸部２１２ｂが凹部２１１ａに嵌り込む大きさに設定されている。一つの柄部半体２１０を構成する柄部ベース２１１と表面材２１２とは、柄部ベース２１１の凹部２１１ａに表面材２１２の凸部２１２ｂを嵌め込むことにより一体化される（図６参照）。
【００２２】
一対の柄部半体２１０は、それぞれの柄部ベース２１１において凹部２１１ａが形成されている面とは反対側の面を、互いに対面させて使用される。バネアーム２２０は金属製の細長いアームであり、一方の辺を柄部２０の側辺の一方に沿わせた状態で、一対の柄部半体２１０の間に配される。柄部２０の側辺においてバネアーム２２０を沿わせている辺は、開姿勢にあるナイフ１において峰１２の延長線に近い方の辺である。
【００２３】
バネアーム２２０の厚さは刃部１０の基端部１３の厚さと同一であり、バネアーム２２０は複数の留めピンによって柄部半体２１０の後端側に留め付けられることによって、一対の柄部半体２１０の間に配置されている。本実施形態では、二つの留めピン（第一留めピン４１、第二留めピン４２）によって、バネアーム２２０が柄部半体２１０に留め付けられている。これにより、バネアーム２２０において、二つの留めピンのうち前端側にある第一留めピン４１より更に前端側の部分が、板バネとして作用する。また、バネアーム２２０は、一対の柄部半体２１０間に空間を形成する“スペーサ”を兼ねており、一対の柄部半体２１０及びバネアーム２２０で囲まれた空間Ｓ（図１（ｂ）参照）が、閉姿勢で刃部１０を収容する空間である。
【００２４】
バネアーム２２０において、後端側の近傍にはバネ後端孔部２２０ｈが貫設されている。一対の柄部ベース２１１のそれぞれには、一対の柄部半体２１０の間にバネアーム２２０を配置した状態でバネ後端孔部２２０ｈと連通する位置に、孔部が貫設されている。これらの孔部をベース後端孔部２１１ｈと称する。ここで、一対の柄部ベース２１１のそれぞれに重ね合わされる表面材２１２にも、ベース後端孔部２１１ｈと連通する位置に孔部を貫設しても良いが、本実施形態では、ベース後端孔部２１１ｈの周縁部に対応する位置で表面材２１２が切り欠かれていることにより、ベース後端孔部２１１ｈが外方に開口している。なお、本実施形態の「ベース後端孔部２１１ｈ」が本考案の「柄部後端孔部」に相当する。
【００２５】
上記構成のナイフ１では、バネアーム２２０が柄部半体２１０に留め付けられていることによって一対の柄部半体２１０の間に配置されている共に、前端側で一対の柄部半体２１０の間に刃部１０の基端部１３が挟み込まれた状態で、刃部ピボット孔１０ｐ及び一対の柄部ピボット孔２０ｐに枢軸部３０が挿通されて刃部１０と柄部２０とが組み付けられている。これにより、次のように、刃部１０が開姿勢と閉姿勢との間で変位する。
【００２６】
すなわち、開姿勢では、刃部１０の基端部１３における第一角部Ｅ１はバネアーム２２０の前端部に当接している。この開姿勢で、バネアーム２２０は基端部１３を内方に向かって（枢軸部３０の方向に向かって）付勢しており、このようなバネアーム２２０の付勢によりナイフ１の開姿勢が安定的に保持されている。特に、本実施形態では、基端部１３の側面部１３ｂがバネアーム２２０の前端側の内側面２２０ｂにほぼ全体的に当接し、基端部１３の端面部１３ｃがバネアーム２２０の前端面２２０ｃにほぼ全体的に当接するように、基端部１３及びバネアーム２２０双方の形状が設定されているため、ナイフ１の開姿勢がより安定している。
【００２７】
この状態にあるナイフ１の操作用窪み１７にユーザが指先を掛けて、刃部１０を中心軸Ｐ０周りに切断刃１１側に回動させると（図示、矢印Ａ）、基端部１３とバネアーム２２０との接点が、第一角部Ｅ１から第二角部Ｅ２に向かって、基端部１３の円弧状の輪郭に沿って移動する。これにより、中心軸Ｐ０からバネアーム２２０と基端部１３との接点までの距離が大きくなるため、バネアーム２２０において第一留めピン４１より前端側の部分を、外側に押圧する力が基端部１３から作用する（図３参照）。バネアーム２２０の有する弾性により、この押圧力に抗する力が基端部１３に作用するため、バネアーム２２０との接点が円弧状の輪郭に沿って移動している間は、刃部１０の回動に大きな抵抗力が作用し、ユーザの操作に伴って刃部１０はゆっくりと回動する。
【００２８】
基端部１３とバネアーム２２０との接点が第二角部Ｅ２に達し、同一方向への更なる刃部１０の回動によって接点が第二角部Ｅ２を越えると、その時点で基端部１３がバネアーム２２０を押圧する力がなくなる。これにより、バネアーム２２０の付勢によって刃部１０は一気に閉姿勢をとる。閉姿勢では、基端部１３は第二角部Ｅ２でバネアーム２２０と当接し、バネアーム２２０の付勢によって閉姿勢が安定的に保持される。
【００２９】
逆に、閉姿勢にあるナイフ１の刃部１０を、ユーザが中心軸Ｐ０周りに峰１２側に回動させると（図示、矢印Ｂ）、基端部１３とバネアーム２２０との接点が、第二角部Ｅ２から第一角部Ｅ１に向かって円弧状の輪郭に沿って移動する。これにより、上記と同様に、バネアーム２２０の前端側の部分を外側に押圧する力が基端部１３から作用するため、この押圧力に抗してバネアーム２２０から作用する大きな抵抗力を受けつつ、ユーザの操作に伴って刃部１０はゆっくりと回動する。
【００３０】
基端部１３とバネアーム２２０との接点が第一角部Ｅ１に達し、同一方向への更なる刃部１０の回動によって接点が第一角部Ｅ１を越えると、その時点で基端部１３がバネアーム２２０を押圧する力がなくなり、バネアーム２２０の付勢によって刃部１０は一気に開姿勢をとる。開姿勢は、上述のようにバネアーム２２０の作用によって安定的にされる。
【００３１】
従来の折り畳み式ナイフでは、柄部に対して刃部を回転させる枢軸部は、その両端を柄部の外表面側でかしめる等により、ナイフの製造後は取り外すことができないものであった。これに対し、本実施形態の枢軸部３０は、ユーザ自身が刃部１０をナイフ１から取り外すことができる構成となっている。具体的には、本実施形態の枢軸部３０は、頭部付きの雄ネジと、頭部付きの雌ネジスリーブとを螺合させることによって形成されている。雌ネジスリーブの外径は、刃部ピボット孔１０ｐ及び柄部ピボット孔２０ｐの径より小さく、雄ネジ及び雌ネジスリーブそれぞれの頭部は、柄部ピボット孔２０ｐの径より大きい。そして、雄ネジまたは雌ネジスリーブの頭部に、汎用の工具で回転させることができる工具係合部１０ｆが形成されている。ここで、汎用の工具としては、プラスドライバ、マイナスドライバ、六角レンチを例示することができる。
【００３２】
更に、従来のスリップジョイント式の折り畳み式ナイフでは、柄部に対してバネアームを留め付ける留めピンは、その両端を柄部の外表面側でかしめる等により、ナイフ１の製造後は取り外すことはできないものであると共に、柄部半体とバネアームとを留めピンの軸心周りに相対的に回動させることはできないものであった。これに対して、本実施形態では、二つの留めピンのうち、後端側の第二留めピン４２は、ナイフ１に対して着脱可能に構成されている。具体的には、第二留めピン４２は、枢軸部３０と同様に、頭部付きの雄ネジと頭部付きの雌ネジスリーブとを螺合させることによって形成されている。雌ネジスリーブの外径は、第二留めピンを挿通するために一対の柄部半体２１０それぞれに貫設された孔部４２ｈ、及びバネアーム２２０に貫設された孔部４２ｔの径より小さく、雄ネジ及び雌ネジスリーブそれぞれの頭部は孔部４２ｈの径より大きい。そして、雄ネジまたは雌ネジスリーブの頭部に、汎用の工具で回転させることができる工具係合部４２ｆが形成されている。
【００３３】
一方、第一留めピン４１は、ユーザによってはナイフ１から取り外すことができず、且つ、柄部半体２１０とバネアーム２２０とを第一留めピン４１の軸心である中心軸Ｐ１周りに相対的に回動させることが可能な構成とされている。具体的には、第一留めピン４１は第二留めピン４２と同様に、頭部付きの雄ネジと頭部付きの雌ネジスリーブとを螺合させることによって形成されている。雌ネジスリーブの外径は、留めピンを挿通するために一対の柄部半体２１０それぞれとバネアーム２２０に貫設された孔部の径より小さく、雄ネジ及び雌ネジスリーブそれぞれの頭部は、その孔部の径より大きい。第一留めピン４１が第二留めピン４２と相違する点は、雄ネジ及び雌ネジスリーブの何れも、汎用の工具では回転させることができない点である。本実施形態では、第一留めピン４１の雄ネジ及び雌ネジスリーブは、ナイフ１の製造者が使用する特殊な工具によってのみ、螺合及びその解除が可能であり、一般のユーザはナイフ１から取り外すことができない。
【００３４】
枢軸部３０、第一留めピン４１、及び第二留めピン４２が上記の構成であることにより、本実施形態のナイフ１は、ユーザが自身で刃部１０を交換する作業を行うことができる。刃部１０の交換の際はまず、枢軸部３０において雄ネジと雌ネジスリーブとの螺合を解除して、枢軸部３０をナイフ１から取り外すと共に、第二留めピン４２において雄ネジと雌ネジスリーブとの螺合を解除して、第二留めピン４２をナイフ１から取り外す。一方、第一留めピン４１は取り外せないため、そのままである。これにより、一対の柄部半体２１０の一方を他方の柄部半体２１０に対して中心軸Ｐ１周りに回動させ、基端部１３の片面側を開放し、刃部１０を柄部２０から取り外すことができる（図４参照）。
【００３５】
なお、一つの柄部半体２１０を構成する柄部ベース２１１及び表面材２１２は、柄部ベース２１１の凹部２１１ａに表面材２１２の凸部２１２ｂを嵌め合わせているため、両者が接着等されていなくても一体的に回転する。
【００３６】
次に、新しい刃部１０を取り付けるが、その際、バネアーム２２０は一対の柄部半体２１０の一方の側辺に沿わせた状態としておく。まず、バネアーム２２０を側辺に沿わせている方の柄部半体２１０の柄部ピボット孔２０ｐに、表面材２１２側から枢軸部３０の雌ネジスリーブ３０ｓを挿入する。そして、その柄部半体２１０の内表面から突出している雌ネジスリーブ３０ｓを、刃部ピボット孔１０ｐに挿入しつつ新しい刃部１０を柄部半体２１０に取り付ける。その際、刃部１０の姿勢は開姿勢と同じ姿勢とする（図５参照）。
【００３７】
上述したように、バネアーム２２０は開姿勢にある刃部１０の基端部１３を付勢するように設定されているため、仮に、バネアーム２２０が第一留めピン４１と第二留めピン４２との双方で柄部半体２１０に留め付けられていたとすると、刃部１０を取り外してしまった後では、バネアーム２２０のバネ作用によって、柄部ピボット孔２０ｐと刃部ピボット孔１０ｐとを一致させることができないおそれがある。これに対し本実施形態では、バネアーム２２０が第一留めピン４１のみで柄部半体２１０に留め付けられているため、第二留めピン４２をも柄部半体２１０に留め付けられている場合に比べて、バネアーム２２０をたわませることが容易である。これにより、バネアーム２２０のバネ作用に抗して、柄部ピボット孔２０ｐと刃部ピボット孔１０ｐとの位置を一致させることができ、柄部ピボット孔２０ｐに挿入されている雌ネジスリーブ３０ｓを、基端部１３の刃部ピボット孔１０ｐに挿入することができる。そして、一対の柄部半体２１０の他方を中心軸Ｐ１周りに回動させ、その柄部半体２１０の柄部ピボット孔２０ｐを刃部ピボット孔１０ｐに一致させ、枢軸部３０の雄ネジを表面材２１２側から挿入して雌ネジスリーブ３０ｓと螺合させることができる。これにより、一対の柄部半体２１０と刃部１０とは、枢軸部３０と第一留めピン４１とで組み付けられた状態となる。
【００３８】
その後、一対の柄部半体２１０それぞれの孔部４２ｈとバネアーム２２０の孔部４２ｔとを一致させ、第二留めピン４２の雌ネジスリーブをこれらの孔部４２ｈ，４２ｔに挿通し雄ネジと螺合させることにより、第二留めピン４２を柄部半体２１０に留め付ける。これにより、新しい刃部１０に交換する作業が終了する。なお、バネアーム２２０のバネ作用が非常に強力である場合など、第二留めピン４２を挿通するための孔部４２ｈ，４２ｔの位置を一致させにくい場合は、一対の柄部半体２１０の一方のベース後端孔部２１１ｈ、バネアーム２２０のバネ後端孔部２２０ｈ、及び、他方の柄部半体２１０のベース後端孔部２１１ｈに、一本の調整棒（図示しない）を順に挿入する。これにより、バネアーム２２０を強制的にたわませて、第二留めピン４２を挿通するための孔部４２ｈ、４２ｔの位置を容易に一致させることができ、バネアーム２２０のバネ力に抗してバネアーム２２０の位置を初期設定の位置に合わせることができる。
【００３９】
なお、ここでは、バネ後端孔部２２０ｈ及びベース後端孔部２１１ｈとして、二つの円形孔部が一部を重複させて連通しているダルマ形状の孔部である場合、を図示により例示している。このように、二つの孔部が連通している形状とすることにより、調整棒を挿入するための孔部と、ナイフ１をズボンのベルト通しなどの保持対象に保持させるためのカラビナ等の係止部材を挿通するための孔部とを兼ねさせることができ、係止部材を挿通させている状態のままの孔部（ベース後端孔部２１１ｈ及びバネ後端孔部２２０ｈ）に、調整棒を挿入することができる。
【００４０】
上記のように、本実施形態のナイフ１によれば、ユーザ自身が刃部１０を取り外して、新しい刃部１０に交換することができる。これにより、刃部１０が損傷した場合など、同種の新しい刃部１０に交換することができる。また、形状の異なる刃部１０に交換することにより、刃部１０と柄部２０との組み合わせを異ならせることができる。例えば、同じ柄部２０に、電工ナイフ用の刃部１０を取り付けて使用したり、ブッシュクラフトナイフ用の刃部１０を取り付けて使用したりすることができる。また、形状の異なる刃部１０に限らず、材質の相違する刃部１０に取り換えて使用することもできる。材質の異なる刃部１０としては、ステンレス鋼、ダイス鋼など刃部本体の材質が相違する刃部１０、錆防止用のコーティング層の積層の有無が相違する刃部１０、意匠性を高めるための表面層の積層の有無が相違する刃部１０を、例示することができる。
【００４１】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４２】
例えば、上記では、第二留めピン４２がナイフ１に対して着脱可能である一方、第一留めピン４１がナイフ１から取り外すことができない構成である場合を例示したが、第一留めピン４１及び第二留めピン４２の双方がナイフ１に対して着脱可能である構成とすることもできる。その場合は、まずは第一留めピン４１を一対の柄部半体２１０及びこれらに挟まれたバネアーム２２０に留め付けられた状態としてから、刃部１０の交換作業を行う。なお、第一留めピン４１は、ナイフ１に対して着脱可能である場合であっても、一対の柄部半体２１０の一方及びバネアーム２２０を、他方の柄部半体２１０に対して回動可能に留め付けられるピンである必要がある。
【００４３】
また、上記では、ナイフ１に対して着脱可能である第二留めピン４２が一つである場合を例示したが、第二留めピン４２は二以上あっても良い。その場合、刃部１０の交換の際には、全ての第二留めピン４２をナイフ１から外しておく。
【符号の説明】
【００４４】
１  ナイフ（折り畳み式ナイフ）
１０  刃部
２０  柄部
３０  枢軸部
４１  第一留めピン（留めピン）
４２  第二留めピン（留めピン）
２１０  柄部半体
２１１ｈ  ベース後端孔部（柄部後端孔部）
２２０  バネアーム
２２０ｈ  バネ後端孔部
Ｐ０  中心軸（枢軸部の軸心）
Ｐ１  中心軸（第一留めピンの軸心）
【図１】
0003222231.tif 000003
【図２】
0003222231.tif 000004
【図３】
0003222231.tif 000005
【図４】
0003222231.tif 000006
【図５】
0003222231.tif 000007
【図６】
0003222231.tif 000008